(57)【要約】【課題】ユーザーが、プッシュ・プル仕様と、片面的仕様（プル仕様、又はプッシュ仕様）とを、自由に選択することができること。【解決手段】操作ハンドルをプル又はプッシュすると、錠箱内に軸支されかつラッチを係止しているラッチ施錠片が係合解除の方向へ回動するラッチの係止解除機構を備えたプッシュ・プル錠に於いて、錠箱に形成した支持部にストッパー部を有する回動ボタンを設け、一方、操作ハンドルの操作によって移動する押圧片を錠箱に形成した窓孔を介して錠箱の内部空間に配設し、この押圧片と前記回動ボタンに関連付けて第１摺動体と第２摺動体を錠箱内に水平動自在に設け、回動ボタンを所定量回動すると第２摺動体の前進が阻止されることによって、本来的なプッシュ・プル仕様からプル仕様、又はプッシュ仕様というような片面的仕様態様に切り替わること。【選択図】  図１
2004211529.tif 000002
【特許請求の範囲】
【請求項１】
操作ハンドルをプル又はプッシュすると、錠箱内に軸支されかつラッチを係止しているラッチ施錠片が係合解除の方向へ回動するラッチの係止解除機構を備えたプッシュ・プル錠に於いて、錠箱に形成した支持部にストッパー部を有する回動ボタンを設け、一方、前記操作ハンドルの操作によって移動する押圧片を錠箱に形成した窓孔を介して錠箱の内部空間に配設し、この押圧片と前記回動ボタンに関連付けて第１摺動体と第２摺動体を錠箱内に水平動自在に設け、前記回動ボタンを所定量回動すると前記第２摺動体の前進が前記ストッパー部に阻止されることによって、本来的なプッシュ・プル仕様からプル仕様、又はプッシュ仕様というような片面的仕様態様に切り替わることを特徴とするプッシュ・プル錠。
【請求項２】
請求項１に於いて、第１摺動体４６は、後壁４６ｃの内壁面が押圧片によって錠箱の後壁方向へ押される外枠状のスライド片であり、一方、第２摺動体は前記押圧片によって錠箱の前板方向へ押される内枠状のスライド片であることを特徴とするプッシュ・プル錠。
【請求項３】
請求項１に於いて、回動ボタン４０のストッパー部４２は、周胴部４１の周壁に羽状に突出形成された突起部であることを特徴とするプッシュ・プル錠。
【請求項４】
請求項１に於いて、第１摺動体４６が錠箱の後壁方向へ移動した時、ラッチ施錠片６０は、第１摺動体４６に押され、かつ、施錠片用バネ６３のバネ力に抗してダイレクトに係合解除の方向へ回転することを特徴とするプッシュ・プル錠。
【請求項５】
請求項１に於いて、第２摺動体４７が錠箱の前板方向へ移動した時、ラッチ施錠片６０は、錠箱内に軸支され、かつ、バネ５８のバネ力に抗して回動する揺動レバー５５を介して係合解除の方向へ回転することを特徴とするプッシュ・プル錠。
【請求項６】
請求項１又は請求項５に於いて、外枠の第１摺動体４６に内枠の第２摺動体４７が相対的に移動可能に組み込まれ、第１及び第２摺動体４６，４７の水平壁部には、揺動レバー５５のアーム部５６が係合する切欠部５１，５４がそれぞれ形成されていることを特徴とするプッシュ・プル錠。
【請求項７】
請求項１に於いて、錠箱に形成したラッチ枠部８を基準として、ラッチの係止解除機構Ｘを設けた反対側の内部空間には、閉戸時に第２のラッチ用施錠片の係合を解除させるリリース構成部材を有するサムターン錠の締め出し防止装置Ｙが組み込まれていることを特徴とするプッシュ・プル錠。
【請求項８】
操作ハンドルをプル又はプッシュすると、錠箱内に軸支されかつラッチを係止しているラッチ施錠片が係合解除の方向へ回動するラッチの係止解除機構を備えたプッシュ・プル錠に於いて、錠箱に形成した支持部にストッパー部を有する回動ボタンを設け、また、錠箱に前記回動ボタンに当接するクリックバネを、バネ支持手段を介して設け、一方、前記操作ハンドルの操作によって移動する押圧片を錠箱に形成した窓孔を介して錠箱の内部空間に配設し、この押圧片と前記回動ボタンに関連付けて第１摺動体と第２摺動体を錠箱内に水平動自在に設け、前記回動ボタンを所定量回動すると前記第２摺動体の前進が前記ストッパー部に阻止されることによって、本来的なプッシュ・プル仕様からプル仕様、又はプッシュ仕様というような片面的仕様態様に切り替わることを特徴とするプッシュ・プル錠。
【請求項９】
請求項８に於いて、回動ボタン４０Ａのストッパー部４２Ａは、周胴部４１Ａの裏面に突出形成された突起部であることを特徴とするプッシュ・プル錠。
【請求項１０】
請求項８又は請求項９に於いて、突起部の側壁に、他方の摺動体４７Ａの先端部４７ｅが入り込むことができるように逃がし用切欠部４２ａを形成したことを特徴とするプッシュ・プル錠。
【請求項１１】
請求項８に於いて、ラッチ用の施錠片６０Ａは作動レバー５５Ａに連動するように可動突起軸８６及び係合長孔８７を介して連結されていることを特徴とするプッシュ・プル錠。
【発明の詳細な説明】
【０００１】
【発明の属する技術分野】
本発明は、プシュ・プル錠に関し、特に扉の閉戸時に内外の操作ハンドルをプル又はプッシュすると、ラッチの係止解除機構により、ラッチ用の施錠片がロック解除の方向へ回転するプシュ・プル錠に関する。
【０００２】
【従来の技術】
従来、ラッチ、閉戸時におけるラッチ用施錠片、該施錠片用の係止解除機構を備えたプシュ・プル錠は、日本国特許庁に幾つも提案されている（例えば特開平１１−５０７０７号公報）。
【０００３】
ところで、現在、ユーザー（お客様）から、建物の扉の取付け場所を考慮し、プッシュ・プル仕様と、片面的仕様（プル仕様、又はプッシュ仕様）とを、自由に選択することができるプッシュ・プル錠の出現が要望されているが、この要望を満たすようなプッシュ・プル錠がまだ提案されていない。
【０００４】
【発明が解決しようとする課題】
そこで、本発明の第１の目的は、ユーザーが扉の取付け場所を考慮し、プッシュ・プル仕様と、片面的仕様（プル仕様、又はプッシュ仕様）とを、自由に選択することができるプッシュ・プル錠を提供することである。第２の目的は、錠箱の前板から見える回動ボタン（４０．４０Ａ）を所定量回動するだけの操作で、例えばプッシュ・プル仕様から片面的仕様に、又は片面的仕様から本来的なプッシュ・プル仕様に切替えることができることである。第３の目的は、錠箱内に第１摺動体と第２摺動体を合理的に組み込むことである。第４の目的は、押圧片により摺動体が水平動した時にラッチ用の施錠片や作動レバーがスムースに作動することである。第５の目的は、部品点数（例えばバネ、受け片など）を減らすことである。第６の目的は、回動ボタン４０を操作した時にクリック感が得られることである。その他の目的として、錠箱内にサムターン錠の締め出し防止装置Ｙを組み込むことができることである。
【０００５】
【課題を解決するための手段】
本発明のプッシュ・プル錠は、操作ハンドルをプル又はプッシュすると、錠箱内に軸支されかつラッチを係止しているラッチ施錠片が係合解除の方向へ回動するラッチの係止解除機構を備えたプッシュ・プル錠に於いて、錠箱に形成した支持部にストッパー部を有する回動ボタン４０を設け、一方、前記操作ハンドルの操作によって移動する押圧片を錠箱に形成した窓孔を介して錠箱の内部空間に配設し、この押圧片と前記回動ボタンに関連付けて第１摺動体と第２摺動体を錠箱内に水平動自在に設け、前記回動ボタンを所定量回動すると前記第２摺動体の前進が前記ストッパー部に阻止されることによって、本来的なプッシュ・プル仕様からプル仕様、又はプッシュ仕様というような片面的仕様態様に切り替わることを特徴とする。
【０００６】
上記構成に於いて、第１摺動体４６は、後壁４６ｃの内壁面が押圧片によって錠箱の後壁方向へ押される外枠状のスライド片であり、一方、第２摺動体は前記押圧片によって錠箱の前板方向へ押される内枠状のスライド片であることを特徴とする。また、本発明のプッシュ・プル錠は、回動ボタン４０のストッパー部４２は、周胴部４１の周壁に羽状に突出形成された突起部であることを特徴とする。
【０００７】
また本発明のプッシュ・プル錠は、操作ハンドルをプル又はプッシュすると、錠箱内に軸支されかつラッチを係止しているラッチ施錠片が係合解除の方向へ回動するラッチの係止解除機構を備えたプッシュ・プル錠に於いて、錠箱に形成した支持部にストッパー部を有する回動ボタンを設け、また、錠箱に前記回動ボタンに当接するクリックバネを、バネ支持手段を介して設け、一方、前記操作ハンドルの操作によって移動する押圧片を錠箱に形成した窓孔を介して錠箱の内部空間に配設し、この押圧片と前記回動ボタンに関連付けて第１摺動体と第２摺動体を錠箱内に水平動自在に設け、前記回動ボタンを所定量回動すると前記第２摺動体の前進が前記ストッパー部に阻止されることによって、本来的なプッシュ・プル仕様からプル仕様、又はプッシュ仕様というような片面的仕様態様に切り替わることを特徴とする。
【０００８】
上記の構成に於いて、回動ボタン４０Ａのストッパー部４２Ａは、周胴部４１Ａの裏面に突出形成された突起部であることを特徴とする。また、ラッチ用の施錠片６０Ａは作動レバー５５Ａに連動するように可動突起軸８６及び係合長孔８７を介して連結されていることを特徴とする。
【０００９】
【発明の実施の形態】
図１乃至図７を参照にして本発明の第１実施例を説明する。まず、環境部材について簡単に説明する。１は寝室、トイレ等の出入口の戸枠、２はストライクを有する受け金具、３は戸枠の縁（直接的にはストライクも含まれる）、４は水平方向に回動して出入口を開閉する扉（例えば室内扉）、５は室内の扉４の戸先に設けられた錠前、本実施例ではプッシュ・プル錠５である。
【００１０】
プッシュ・プル錠５の錠箱６には、前板７に対して回動可能に設けられた回動ボタンを回動操作すると、プッシュ・プル錠におけるラッチ施錠片の解除態様が、プッシュ・プル仕様又はプル仕様のいずれかに切り替わるラッチの係止解除機構Ｘと、開扉の時に不注意によりラッチを施錠した状態で扉を閉めた時にラッチの施錠状態が自動的に解錠状態となるサムターン錠の締め出し防止装置Ｙとが設けられている。
【００１１】
なお、ここで「サムターン錠」を住宅内部におけるハンドル錠の施錠装置の意味合いで用いている。また「回動」の用語は、原則として軸を中心に正逆方向に揺動する円運動の意味合いで用いているが、例外的に回動ボタンは、揺動する場合もあれば、一以上回転する場合もある。
【００１２】
次に図２を参照にして錠箱６の構成を説明する。錠箱６は、ケース身６ａと、このケース身６ａの一側開口を閉鎖する矩形状のケース蓋６ｂとから成り、前記ケース身６ａは前板７を有する。ここで、「前板７」とは、長板状の取付け前板７ａ又は／及びフロント７ｂを意味する。取付け前板７ａとフロント７ｂとが別体の場合には、両者は図示しない固着具を介して合体する。
【００１３】
８は前板７の中央部に形成した開口窓９を基準としてケース身６ａに形成された隔壁状のラッチ枠部で、このラッチ枠部８は、図３で示すように、例えば端面コ字型状に形成されている。ここで図３を参照にしてラッチ枠部８を簡単に説明する。８ａは上壁、８ｂは下壁、８ｃは上下壁に交差する後壁である。しかして、前記上壁８ａにはラッチの係止解除機構Ｘを構成する第１施錠片用の第１受入れ孔１０が形成され、一方、この第１受入れ孔１０に対向するように前記下壁８ｂには、サムターン錠の締め出し防止装置Ｙを構成する第２施錠片用の第２受入れ孔１１が形成されている。
【００１４】
第１・第２受入れ孔１０，１１は、本実施例では開口窓９側から前記後壁８ｃに向かって形成された水平長孔である。またラッチ枠部８の後壁８ｃの一側壁（本実施例ではケース身６ａの幅広側壁側の側壁）には、上下方向の一部（例えば中央部）に作動杆用の切欠部１２が形成されている。
【００１５】
１４は前板７の上部側に形成された回動ボタン用の支持部の一例としての嵌合孔で、この嵌合孔１４の後方には、前板７に所要間隔離間して垂直状態の受け片１５が突設されている。
【００１６】
ところで、錠箱６には、錠箱内に組み込まれる複数個の摺動部材を水平方向に案内するために、適宜箇所に任意形状の水平案内部（例えば水平長孔、水平溝など）が形成されている。そこで、水平案内部について説明すると、１６は前記受け片１５を基準にして上下に設けられた第１摺動体用の上方水平案内部、一方、１７は錠箱６の下方隅角部に形成されたサムターンダルマ用軸孔１８を基準にして上下かつオフセット状態に設けられたリリーススライダー７９用の下方水平案内部である。
【００１７】
また、本発明の錠前は、プッシュ・プル錠に適用しているので、錠箱６の上部側（例えばサムターンダルマ用軸孔１８の真上）には、操作ハンドルに連動する押圧片用の矩形状窓孔２０が形成されている。さらに、錠箱６には組み込まれる各部材を揺動させるための固定軸が複数個配設されている。ここで、説明の便宜上、固定軸を上方から順番に説明すると、２１はラッチ枠部８の後壁８ｃの上部付近に設けられた第１固定軸、２２はケース身６ａの後壁の中央部付近に設けられた第２固定軸、２３はラッチ枠部８の後壁８ｃの下部付近に設けられた第３固定軸、２４はラッチ枠部８の下壁の後部側付近に設けられた第４固定軸、そして、２５は錠箱の底壁の中央部に設けられた第５固定軸である。
【００１８】
錠箱５には、上述したように、回動ボタン用嵌合孔１４、該嵌合孔に臨む受け片１５、各摺動体を案内する水平案内部１６，１７、サムターンダルマ用軸孔１８、内外の操作ハンドル側の押圧片用窓２０，各揺動部材用の複数個の固定軸などが設けられている。なお、本発明の構成に関係のない部分（例えば固着具用螺子部など）は省略してある。
【００１９】
次に錠箱に組み込まれる各部材について説明する。３０は前板７のフロント板７ｂを基準に進退動するラッチである。ラッチ３０は、公知のように受け金具２のストライクと係合する。ここでのラッチ３０は、錠箱６の内部へそのままストレートに後退するもの（普通一般に、「ラッチ」と称されている。）、多少所要角度まで水平回転しながら後退するもの（「反転ラッチ」と称されている。）如何を問わず、戸枠１側に突出して受け金具２に係合するものは、全て含まれる。ラッチ３０の一例は、図３に概略的に示してある。本実施例では反転ラッチが採用されている（反転ラッチに関しては、その一例が特公平２−５５５９１に開示されている）。
【００２０】
ここで図１及び図３を参照にしてラッチ３０の構成について説明する。３０ａは戸枠の縁乃至ストライクの開口縁と摺接する垂直状態の衝止面である。３０ｂ，３０ｂは、ラッチ６の上下面からそれぞれ凸片状に突出する突起部で、これらの凸片状突起３０ｂ，３０ｂはラッチの回転軸としての機能、後述する上下の施錠片とそれぞれ係合する機能を有する。３０ｃ，３０ｃはラッチの後端部で、この後端部３０ｃ，３０ｃにはラッチバネの一端部を支持するバネ端収納部３１が形成されている。
【００２１】
３２はラッチの作動杆３３の端面Ｌ型状先端部３４に一端部３２ａが圧接し、一方、その他端部３２ｂがラッチ枠部８の後壁８ｃ内面に圧接するラッチバネである。本実施例では、このラッチバネ３２の前記一端部３２ａが作動杆３３の先端部３４と共にラッチ３０のバネ端収納部３１に組み込まれ、ラッチ３０を常時突出方向に付勢する。
【００２２】
次に図３を参照にして作動杆３３について説明する。３４は前述したように作動杆３２のＬ型状先端部で、この先端部３４は、ラッチ３０のバネ端収納部３１の内壁面に直接又は間接的に組み込まれ、かつ、ラッチバネ３２のバネ力により該内壁面に圧接する。作動杆３３の形態に関しては任意に設計変更可能であるが、本実施例では、ラッチバネ３２の一端部３２ａを受けるバネ端支持壁３４ａを有する先端部３４と、前記支持壁３４ａと交差する先端部一側壁３４ｂに段差状に連設し、かつ、前述したラッチ枠部８の切欠部１２に案内される摺動壁３５と、この摺動壁３５に連設する後端部とから成る。
【００２３】
しかして、前記バネ端支持壁３４ａの内壁面と後端部の前壁面との間には、ラッチ３０とラッチ支持枠部８の位置を考慮してラッチバネ３２を組み込むことができるバネ収納空間３６が設けられている。また前記後端部３６には、その後壁面の上端部寄りの部位から底壁面に向かって垂直ないし傾斜状の係合面３７ａを有する係合切欠部３７が形成されている。
【００２４】
次にラッチの係止解除機構Ｘを構成する部材について説明する。４０は前板７に対して回動可能に設けられた回動ボタンで、この回動ボタン４０を略９０度回すと、本実施例ではプッシュ・プル錠におけるラッチ施錠片の解除態様が、プッシュ・プル仕様又はプル仕様のいずれかに切り替わる。図１及び図４を参照にして回動ボタン４０を説明する。
【００２５】
４１は周胴部で、この周胴部４１は錠箱６の取付け前板７ａの内壁面と受け片１５の空間部に位置する。４２は周胴部４１の外周壁面に半径方向に突設された羽状の１又は２以上のストッパー部で、このストッパー部４２は、回動ボタン４０の回転位置如何によって後述する第２摺動体の前進を規制する機能を果す。４３は周胴部４１の前面に突設された嵌合突起で、この嵌合突起４３は前板７の嵌合孔１４に嵌合する。嵌合突起４３の前面は、フロント７ｂの前面と面一であり、図示しない小ドライバー用の溝４３ａを有する。４４は周胴部４１の後面に形成されたバネ支持部で、このバネ支持部４４は小突起でも良いが、本実施例では凹所状に形成されている。
【００２６】
４５はバネ支持部４４と受け片１５との間に設けられた押圧バネで、この押圧バネ４５は周胴部４１の前面を前板７の内壁面に押し付ける。
【００２７】
次に４６．４７は、錠箱５の上方の収納空間に水平状態に配設されたプッシュ・プル用摺動体である。ここでは外枠の摺動体を第１摺動体４６、一方、外枠の摺動体内に組み込まれた枠状の摺動体を第２摺動体４７とする。また、外側の操作ハンドルに連動する部材を上方の押圧片４８とし、一方、内側の操作ハンドルに連動する部材を下方の押圧片４９とする。
【００２８】
そこで、図５を参照に外枠の第１摺動体４６と内側の第２摺動体４７とを説明する。まず外枠の第１摺動体４６は、図示しない複数個の係合突起を介して錠箱６の上方水平案内部１６に水平動自在に設けられている。
【００２９】
しかして、４６ａは上壁部、４６ｂは下壁部、４６ｃは上下壁部と直交する後壁部、４６ｄは後壁部に対して所要の空間を有して対向する前壁部である。前記後壁部４６ｃの内壁面は前述した上下の押圧片４８，４９を受ける受け板の機能を有する。また前記下壁部４６ｂの一部には揺動レバー用の切欠部５１が形成されている。さらに、前記前壁部４６ｄは摺動体用付勢バネ５２の一端部を受ける機能や受け片１５と当接する機能を有する。しかも、本実施例では、前壁部４６ｄは上下壁部４６ａ，４６ｂの先端部寄りの部位に設けられていると共に、ケース身６ａの幅広側壁側には、第２摺動体４７の移動を許容する図示しない切欠部を有している。
【００３０】
次に、内側の第２摺動体４７は、横長のコ時型形状に形成され、回動ボタン４０及び上下の押圧片４８，４９にそれぞれ関連付けられて外枠第１摺動体４６内に水平動自在に設けられている。
【００３１】
しかして、４７ａは内側の上壁部、４７ｂは内側の下壁部、４７ｃは上下壁部４７ａ，４７ｂと直交する内側の後壁部、４７ｄは後壁部と対抗するバネ受け用隔壁、４７ｅは回動ボタン４０のストッパー４２と関係する先端部である。
前記内側の上下壁４７ａ，４７ｂの先端部寄りの部位には、前述した前壁部４６ｄに対する逃し用切欠部５３が形成され、また前記内側の下壁４７ｂの一部には、揺動レバー用の切欠部５１と同様の内側切欠部５４が形成されている。さらに、前記バネ受け用隔壁４７ｄは前述した摺動体用付勢バネ５２の他端（後端）部を受ける。したがって、摺動体用付勢バネ５２は、第１及び第２摺動体４６，４７内に組み込まれている。
【００３２】
次に図１を参照にして揺動レバー５５について説明する。アングル状（逆への字状）揺動レバー５５は第２固定軸２２に軸支されている。本実施例では、第２固定軸２２を基準にして第１摺動体４６に斜め方向に延びるアーム部５６は、第１及び第２摺動体４６，４７の各切欠部５１，５４に係合している。一方、第２固定軸２２を基準にして下方に延びる連設部分にはバネ受け部５７が形成されている。
【００３３】
５８は第２固定軸２２に中央部が巻装された揺動レバー５５用バネで、この揺動レバー５５用バネ５８は揺動レバー５５のアーム部５６が常時第１及び第２摺動体４６，４７の各切欠部５１，５４に係合する方向へと付勢する。ところで、揺動レバー５５のアーム部５６の先端部には係合突起５６ａが設けられ、この係合突起５６ａは、次に説明するラッチ用第１の施錠片６０の上辺部分と常に係合している。
【００３４】
前記第１の施錠片６０は長板状に形成され、第１固定軸２１に水平状態に軸支されている。本実施例では、第１固定軸２１を基準にして先端部側には、ラッチ枠部８の第１受入れ孔１０から入り込んでラッチ３０の突起部３０ｂと係脱する幅広の第１係合部６１が設けられている。
【００３５】
一方、第１固定軸２１を基準にして後端部側には、第１摺動体４６の後端下部と当接する傾斜状の第２係合部６２が設けられている。６３は第１固定軸２１に中央部が巻装された第１施錠片用バネで、この第１施錠片用バネは、前記第１係合部６１がラッチ３０の突起部３０ｂに係合する方向へ常時付勢する。
【００３６】
そこで、ラッチの係止解除機構Ｘの作用について説明する。前述したように、本実施例では、前板７の手前から図示しないドライバーの先を溝４３ａに差し込み、回動ボタン４０を回動操作すると、プッシュ・プル錠におけるラッチ施錠片６０の解除態様が、プッシュ・プル仕様又はプル仕様（又はプッシュ仕様）のいずれかに切り替わる。
【００３７】
まず、図６は回動ボタン４０の羽状ストッパー部４２，４２が水平状態の場合、当該操作ハンドル（内外の操作ハンドル如何を問わない）を「プル（引く操作）」又は「プッシュ（押す操作）」した場合である。この場合プッシュ・プル錠は、本来的意味でのプッシュ・プル仕様である。
【００３８】
すなわち、外側の操作ハンドルであろうと、又は内側の操作ハンドルであろうと、手にした当該操作ハンドルを「プル」又は「プッシュ」すると、第１摺動体４６は後退方向へ、又は第２摺動体４７は前進方向へそれぞれ移動する。その結果、ラッチ施錠片６０はダイレクトに、又は揺動レバー５５を介して係合解錠方向へ回動（揺動）する。
【００３９】
ここでは前述したように、説明の便宜上、第１摺動体４６がプル用として機能した場合（プル用摺動体）、一方、第２摺動体４７がプッシュ用として機能した場合（プッシュ用摺動体）を説明する。
【００４０】
図１及び図６に於いて、回動ボタン４０の羽状ストッパー部４２，４２が水平状態である。そこで、説明の便宜上、第１摺動体４６がプル用として機能した場合（プル用摺動体）、一方、第２摺動体４７がプッシュ用として機能した場合（プッシュ用摺動体）をその作用の一例として説明する。
【００４１】
すなわち、ここでは外枠の第１摺動体４６（一方）を、内外の操作ハンドルを「プル（引く操作）」した時に水平移動するプル用摺動体とし、内側の第２摺動体４７（他方）を、内外の操作ハンドルを「プッシュ（押す操作）」した時に水平移動するプッシュ用摺動体とする。
【００４２】
また、錠箱６の窓孔２０からは、内外の操作ハンドルの作動アームを介して上下の押圧片４８，４９が水平状態に入り込んでいるが、図１を基準にして上の押圧片４８が後退（錠箱の後壁に向かって移動）する場合は「プル時」とし、一方、図１を基準にして下の押圧片４９が前進（錠箱の前板に向かって移動）する場合は「プッシュ時」とする。
【００４３】
このような前提にて、例えば外側操作ハンドルのプル時（或いは内側操作ハンドルのプル時）には、外枠の第１摺動体４６は上方の押圧片４８に押されて図６矢印Ａの方向に移動する。
【００４４】
したがって、ラッチ施錠片６０は第１摺動体４６の後壁４６ｃ下部に押されることになるから、第１固定軸２１を支点にバネ６３のバネ力に抗して係合解除の方向へダイレクトに回動する。
【００４５】
一方、内側操作ハンドルのプシュ時には、今度は内側の第２摺動体４７が下方の押圧片４９に押されて図６矢印Ｂの方向に移動する。
【００４６】
したがって、ラッチ施錠片６０は、揺動レバー５５がそのバネ５８のバネ力に抗して反時計方向に回動（揺動）することになるから、第１固定軸２１を支点に係合解除の方向へ回転する。
【００４７】
なお、図６の場合に於いて、例えば内側操作ハンドルのプル時には、外枠の第１摺動体４６は下方の押圧片４８に押されて図６矢印Ａの方向に移動する。また内外操作ハンドルのプシュ時には、内側の第２摺動体４７の上下壁４７ａ，４７ｂの先端部は、回動ボタン４０の羽状ストッパー部４２，４２の上下にそれぞれ入り込む。
【００４８】
これに対して、図７は回動ボタン４０の羽状ストッパー部４２，４２が垂直状態である。この場合には、プッシュ・プル錠におけるラッチ施錠片６０の解除態様が、プッシュ・プル仕様から、いずれか一方の仕様（プル仕様、又はプッシュ仕様）に切り替わる。
【００４９】
本実施例では、内外の操作ハンドルのプル時に上下の押圧片４８，４９が図６の矢印Ａ方向へ移動することを前提にしているので、かような前提条件の場合には、プッシュ操作時、内側の第２摺動体４７の前進は、可動ポタン４０の羽状ストッパー部４２，４２に阻まれるので、プッシュ操作でのラッチ施錠片６０の係合解除は不可ということになる。
【００５０】
一方、プル操作時、外側の第１摺動体４６は上下いずれかの押圧片４８，４９によって矢印Ａ方向へ移動可能なので、ラッチ施錠片６０は前述したように係合解除の方向へ回転する。したがって、図７の仕様は、本来的なプッシュ・プル仕様でないから、片面的仕様（プル仕様、又はプッシュ仕様）ということになる。次にサムターン錠の締め出し防止装置Ｙ（以下、「締め出し防止装置」という）について説明する。なお、この締め出し防止装置Ｙは、ラッチの係止解除機構Ｘ（独立項の発明）に対する従属発明なので、ここでは簡単に説明する。
【００５１】
締め出し防止装置Ｙは、錠箱６のラッチ枠部８を基準として、ラッチの係止解除機構Ｘを設けた反対側の内部空間、本実施例では下方の収納空間７０に組み込まれている。締め出し防止装置Ｙは、閉戸時に第２のラッチ用施錠片７１の係合を解除させるリリース構成部材を有する。
【００５２】
図１を参照にして締め出し防止装置Ｙについて簡単に説明する。７１は施錠時に該ラッチ３０の移動（回動と後退）を阻止する第２のラッチ用施錠片で、この第２のラッチ用施錠片７１は第４固定軸２４に軸支され、かつ、施錠片用のバネ７２のバネ力により、ラッチの係合方向に常時付勢されている。
【００５３】
一方、７３は駆動腕７４を有するサムターンダルマで、このサムターンダルマ７３は軸孔１８に回動自在に嵌合している。７５は第５固定軸２５に巻装されたダルマ用のバネで、このバネ７５はサムターンダルマ７３の山形状バネ受け部を付勢している。
【００５４】
そして、７７が前述した作動杆３３、第２のラッチ用施錠片７１及びサムターンダルマ７３にそれぞれ関連付けられたリリース構成部材である。このリリース構成部材７７は、作動杆３３の係合切欠部３７の係合面３７ａに先端部の係合爪部が係合するように第３固定軸２３に軸支されたリリースレバー７８と、このリリースレバー７８の下端部に先端部側が係合するように設けられ、かつ、水平方向に摺動するスライダー７９とから構成され、前記スライダー７９の後端部に形成した垂直案内長孔には、サムターンダルマ７３の駆動腕７４に突設した係合突起が係合している。
【００５５】
しかして、扉４の閉戸時、前記ラッチ３０が戸枠１の縁３に当って後退すると、リリース構成部材７７のリリースレバー７８が第３固定軸２３を支点に回動することにより、これに連動するスライダー７９が前板７方向へ摺動する。
【００５６】
そうすると、リリースレバー７８の後端部の係合突起が第２のラッチ用施錠片７１の弧状後端部を押し上げるようにスライド係合し、これにより第２のラッチ用施錠片７１は、第４固定軸７０を支点にバネ７２のバネ力に抗して係合解除の方向へと自動的に回転する。
【００５７】
したがって、開扉の時に不注意によりラッチを施錠した状態で扉４を閉めた時に、ラッチの施錠状態が常に自動的に解錠状態となるので、いわゆる締め出し防止の効果も得ることができる。
【００５８】
【実施例】
本実施例の回動ボタン４０は、錠箱６の前板７に形成された嵌合孔１４に回動可能に設けられているが、嵌合孔１４は回動ボタン用の支持部の一例である。
【００５９】
したがって、回動ボタン４０の形態を設計変更した場合（例えば嵌合突起４３を形成しない場合）には、錠箱６の前板７の内壁面に嵌合孔１４を取り囲むように環状（的）突壁を形成し、該環状（的）突壁内に回動ボタン４０の周胴部４１の先端部側を嵌合しても良い。要は錠箱６に第２摺動体に対する前進を拒むストッパー部を有する部材を回動可能に設ければ良い。
【００６０】
次に、この欄では、図８乃至図１５に示す第２実施例を説明する。なお、この第２実施例の説明に当たって、前記第１実施例と同一又は同様（機能が同一）の部分には、同一又は同様の符号を付し、重複する説明を省略する。この第２実施例が前記第１実施例と異なる点は、次の通りである。
【００６１】
（１）第１実施例の回動ボタン４０の形態を一部設計変更したこと。すなわち、図４で示すように、第１実施例の回動ボタン４０の周胴部４１は円柱状に形成されているのに対し、第２実施例の回動ボタン４０Ａの周胴部４１Ａは円板状に形成されている点、回動ボタン４０の羽状のストッパー部４２は円柱状周胴部４１からが上下に突出しているのに対し、回動ボタン４０Ａのストッパー部４２Ａは前記周胴部４１Ａの裏面に突出形成された小判型状の突起部である点、しかも、図１０または図１１を基準にすると、前記小判型状の突起部の上下の側壁には、図１２で示す第２摺動体４７Ａの上下の先端部４７ｅ．４７ｅがスムースに入り込むことができるように一対の逃がし用切欠部４２ａ．４２ａを形成した点、また、前記周胴部４１Ａの前面にクリックバネ８１の左右の棒状当接部８２．８２がそれぞれ圧接する角型或いは矩形板状のバネ受け部４４Ａを突設した点、さらに、この角型バネ受け部４４Ａの前面に錠箱の前板７の支持部（嵌合孔）１４に嵌合し、かつ、マイナス溝４３ｂを有する嵌合突起４３Ａを設けた点が異なる。
【００６２】
（２）第２実施例では、回動ボタン４０Ａ用のクリックバネ８１を付加したこと。すなわち、第１実施例の回動ボタン４０では、回動操作してもクリック感を得ることができない。そこで、第２実施例の回動ボタン４０Ａでは、図８及び図９で示すように、錠箱６の前板１４の内壁面にクリックバネ８１を沿うように設け、該クリックバネ８１の左右の立ち上がり状当接部８２．８２を前述した角型バネ受け部４４Ａの左右側壁に対して複数個のバネ支持手段８３．８４．８４を介し当接状態に配設している。なお、クリックバネ８１の中央部は前記前板１４に固定したバネ支持手段８３に支持され、また、クリックバネ８１の左右の立ち上がり状当接部８２．８２は、前板１４に固定した左右一対の突起状バネ支持手段８４．８４に支持されている。
【００６３】
（３）第１摺動体４６Ａ及び第２摺動体４７Ａの形態を一部変更している。すなわち、第１実施例では逃し用切欠部５３を第２摺動体４７に形成しているが、第２実施例では第１摺動体４６Ａの前壁部４６ｄに第２摺動体４７Ａの先端部４７ｅ。４７ｅ用の逃し用切欠部５３Ａ．５３Ａを形成している点、第２実施例の第２摺動体４７Ａのバネ受け用の隔壁４７ｄは、上下壁部４７ａ．４７ｂの一部を内側に折り曲げて形成されている点である。
【００６４】
（４）第１実施例では押圧バネ４５、受け片１５などを有しているが、第２実施例ではこれらの部材が存在しないこと。すなわち、第２実施例では回動ボタン４０Ａの後方のストッパー部４２Ａが第１摺動体４６Ａの前壁部４６ｄの前面に当接可能であることから、押圧バネ４５や受け片１５を設けていない。なお、細部的事項ではあるが、図９で示すように、第２実施例の錠箱６では、突起状バネ支持手段８４付近に施錠片用のバネの一端部を受けるバネ受け８５を設けている。また、上下の水平案内部１６Ａ．１６Ａの大きさなども異なる。
【００６５】
（５）ラッチ用の施錠片６０Ａと作動レバー５５Ａの組み合わせが異なる。施錠片６０Ａ及び作動レバー５５Ａの具体的な構成態様の説明に関しては割愛するが、第２実施例では作動レバー５５Ａ用の付勢バネを減らすために、ラッチ用の施錠片６０Ａの後端部に可動突起軸８６を設け、一方、作動レバー５５Ａの先端部に前記可動突起軸８６と係合する係合長孔８７を形成した点が主に異なる。換言すれば、ラッチ用の施錠片６０Ａは作動レバー５５Ａに連動するように可動突起軸８６及び係合長孔８７を介して連結されている。
【００６６】
（６）図８及び図１３で示すように、ラッチ用の施錠片６０Ａの垂直状第２係合部６２は第１摺動体４６Ａの後壁ではなく、矢印で示すように下壁部４６ｂの切欠部５１の切欠端面に係合する。
【００６７】
（７）回動ボタン４０Ａのストッパー部４２Ａは、プッシュ・プル仕様時の時は、図１４で示すように水平状態となり、一方、片面的仕様（例えばプル仕様）時は、図１５で示すように垂直状態となる。回動ボタン４０Ａを回動操作した場合に於いて、ラッチ施錠片６０Ａの解除態様が、プッシュ・プル仕様から、いずれか一方の仕様（プル仕様、又はプッシュ仕様）に切り替わる作用については、第１実施例と同様なので説明を割愛する。
【００６８】
上記のように構成を設計変更しても、第１実施例と同一の目的・作用を得ることができる。発明の効果に関しては、上下の押圧片４８．４９により摺動体４６Ａ．４７Ａが水平動した時にラッチ用の施錠片６０Ａや作動レバー５５Ａがスムースに作動する、部品点数（例えばバネ、受け片など）が少なく成る、回動ボタン４０Ａを操作した時にクリック感が得られるなど付加的効果を得ることができる。
【００６９】
【発明の効果】
以上の説明から明らかなように、本発明にあっては、次に列挙するような効果がある。
（１）ユーザーが建物の扉の取付け場所を考慮し、プッシュ・プル仕様と、片面的仕様（プル仕様、又はプッシュ仕様）とを、自由に選択することができる。
（２）上記（１）に於いて、錠箱の前板から見える回動ボタン４０を所定量回動するだけの操作で、例えばプッシュ・プル仕様から片面的仕様に、又は片面的仕様から本来的なプッシュ・プル仕様に切替えることができることができる。
（３）錠箱内に第１摺動体と第２摺動体を合理的に組み込むことができる。
（４）その他、錠箱内にサムターン錠の締め出し防止装置Ｙを組み込むことができる。
（５）請求項８に記載の発明は、さらに、回動ボタン４０Ａを操作した時にクリック感を得ることができる。
【図面の簡単な説明】
図１乃至図７は、本発明の第１実施例を示す各説明図。図８乃至図１５は、本発明の第２実施例を示す各説明図。
【図１】扉の閉戸時における本来的なプッシュ・プル仕様態様を示す説明図。
【図２】ケース身を主とした錠箱の説明図。
【図３】ラッチ、ラッチ枠部、作動杆等の説明図。
【図４】回動ボタン等の説明図。
【図５】第１・第２摺動体等の説明図。
【図６】プッシュ・プル仕様時の作動状態の説明図。
【図７】片面的仕様（例えばプル仕様）時の作動状態の説明図。
【図８】第２実施例の概略説明図。
【図９】錠箱の主要部を示す説明図。
【図１０】回動ボタンの斜視図。
【図１１】回動ボタンと関係する部材の説明図。
【図１２】第２実施例の各摺動体の説明図（なお、第２摺動体は中央部を縦断面で示している）。
【図１３】回動ボタン以外の主な構成部材の斜視図。
【図１４】プッシュ・プル仕様時の回動ボタンの位置を示す説明図。
【図１５】片面的仕様（例えばプル仕様）時の回動ボタンの位置を示す説明図。
【符号の説明】
Ｘ…ラッチの係止解除機構、Ｙ…サムターン錠の締め出し防止機構、
１…戸枠、２…受け金具、３…縁、４…扉、５…錠前、６…錠箱、７…前板、８…ラッチ枠部、９…開口窓、１４…嵌合孔、１５…受け片、２０…窓孔、２１〜２５…固定軸、３０…ラッチ、３２…ラッチバネ、３３…作動杆、３７…係合切欠部、３７ａ…係合面、４０．４０Ａ…回動ボタン、４１．４１Ａ…周胴部、４２．４２Ａ…ストッパー部、４３．４３Ａ…嵌合突起、４４…バネ支持部、４４Ａ…バネ受け部、４５…押圧バネ、４６．４６Ａ…第１摺動体、４７．４７Ａ…第２摺動体、５１，５４…揺動レバー用の切欠部、５５．５５Ａ…揺動レバー、５６…アーム部、５８…揺動レバー用バネ、６０．６０Ａ…ラッチ用施錠片、６１…第１係合部、６２…第２係合部、６３…施錠片用バネ、７０…下方の収納空間、７１…第２のラッチ用施錠片、７３…サムターンダルマ、７７…リリース構成部材、７８…リリースレバー、７９…スライダー、８１…クリックバネ．８２…当接部、８３．８４…バネ支持部、８５…可動突起軸、８７…係合長孔。
【図１】
2004211529.tif 000003
【図２】
2004211529.tif 000004
【図３】
2004211529.tif 000005
【図４】
2004211529.tif 000006
【図５】
2004211529.tif 000007
【図６】
2004211529.tif 000008
【図７】
2004211529.tif 000009
【図８】
2004211529.tif 000010
【図９】
2004211529.tif 000011
【図１０】
2004211529.tif 000012
【図１１】
2004211529.tif 000013
【図１２】
2004211529.tif 000014
【図１３】
2004211529.tif 000015
【図１４】
2004211529.tif 000016
【図１５】
2004211529.tif 000017